(57)【要約】  【課題】  地図情報にかかる更新の手間を省き、更新に必要な使用者の労力と時間を軽減する。  【解決手段】  地図情報が格納される記憶装置(ＨＤＤ)１６やディスク装置１７から地図情報を読み出して出力装置(モニタ)１４に表示する表示手段と、構築された道路またはランドマークの付近に設置された、例えばビーコン情報を発生させる装置である情報提供装置から常時、発せられる信号に基づき、記録媒体に格納されている地図情報に対する更新地図情報を受信する外部通信装置１５とを有し、更新された地図情報を表示手段によってモニタ出力している。  【選択図】  図１
2005181062.tif 000002
【特許請求の範囲】
【請求項１】
地図情報が格納される記録媒体から当該地図情報を読み出してモニタに表示する表示手段と、
構築された道路またはランドマークの付近に設置された情報提供装置から常時、発せられる信号に基づき、前記記録媒体に格納されている前記地図情報に対する更新地図情報を受信する受信手段と
を有することを特徴とする地図表示装置。
【請求項２】
前記受信手段は、前記情報提供装置から更新信号を受信し、当該更新信号を受信した位置および/または時刻によって当該更新信号が受信したことのない新しい更新信号か否かを判断し、新しい更新信号と判断される場合に前記更新地図情報を受信することを特徴とする請求項１記載の地図表示装置。
【請求項３】
前記受信手段により受信された前記更新地図情報を前記記録媒体に格納する格納手段を更に備え、
前記表示手段は、前記格納手段により格納された前記更新地図情報を前記モニタに表示することを特徴とする請求項１記載の地図表示装置。
【請求項４】
前記受信手段は、前記更新地図情報と共に広告情報を受信し、
前記表示手段は、受信された前記広告情報を前記モニタに表示することを特徴とする請求項１記載の地図表示装置。
【請求項５】
前記情報提供装置は、ビーコン情報を発生させる装置であることを特徴とする請求項１記載の地図表示装置。
【請求項６】
前記情報提供装置に対して認証情報を送信する認証情報送信手段を更に備え、
前記受信手段は、送信された前記認証情報に基づく前記更新地図情報を受信することを特徴とする請求項１記載の地図表示装置。
【請求項７】
記録媒体に格納されている地図情報を更新するための地図情報更新方法であって、
構築された道路またはランドマークの付近に設置された情報提供装置から常時、発せられる更新信号を受信し、
受信された前記更新信号から地図情報を更新すべきか否かを判断し、
更新すべきと判断される場合には、前記情報提供装置から更新地図情報を受信し、
受信した前記更新地図情報を前記記録媒体に格納することを特徴とする地図情報更新方法。
【請求項８】
前記記録媒体に格納されている前記地図情報は、ナビゲーションシステムに用いられる地図情報であり、
前記記録媒体に格納された前記更新地図情報をモニタに表示することを特徴とする請求項７記載の地図情報更新方法。
【請求項９】
受信される前記更新地図情報には広告に関する情報が付加されており、
前記更新地図情報を表示する際、前記広告に関する情報を合わせて前記モニタに表示することを特徴とする請求項８記載の地図情報更新方法。
【請求項１０】
前記更新信号を受信した後、認証情報を前記情報提供装置に送信し、
前記認証情報の照合に基づく更新地図情報を前記情報提供装置から受信することを特徴とする請求項７記載の地図情報更新方法。
【請求項１１】
記録媒体に格納されている地図情報を読み込んでモニタに表示するナビゲーションシステムに用いられるプログラムであって、
構築された道路またはランドマークの付近に設置された情報提供装置から常時、発せられる更新地図情報を取得する機能と、
取得された前記更新地図情報を前記モニタに表示する機能とを前記ナビゲーションシステムに実現させるプログラム。
【請求項１２】
請求項１１記載のプログラムにおいて、
前記更新地図情報を取得する機能は、ビーコン情報を発生する機材を介して当該更新地図情報を取得することを特徴とするプログラム。
【請求項１３】
記録媒体に格納されている地図情報を読み込んでモニタに表示するナビゲーションシステムに用いられるプログラムであって、
構築された道路またはランドマークの付近に設置された情報提供装置から常時、発せられる更新信号を取得する機能と、
取得された前記更新信号から前記地図情報を更新するか否かを判断する機能と、
更新すべきと判断される場合に更新地図情報の要求を出力する機能と、
前記情報提供装置から更新地図情報を取得する機能と、
取得した前記更新地図情報を前記モニタに表示する機能とを前記ナビゲーションシステムに実現させるプログラム。
【発明の詳細な説明】
【技術分野】
【０００１】
本発明は、地図表示装置等に係り、より詳しくは、例えば車載カーナビゲーションシステムに用いられる地図表示装置等に関する。
【背景技術】
【０００２】
自動車等の移動体搭載用あるいは携帯用として近年、広く普及しているナビゲーションシステム(ナビゲーション装置)では、地図、高速道路図等が各種メモリに予め記憶され、例えば、車載用ナビゲーションシステムを搭載する車の現在位置を例えばＧＰＳ(Global Positioning Systems)により認識している。そして、認識された現在位置を、各種メモリから読み出された所定の地図情報に重ね合わせ、液晶ディスプレイ等のモニタ上に表示している。
【０００３】
これらのナビゲーションシステムに用いられる電子化された地図情報は、ハードディスクドライブ(ＨＤＤ)などの記憶装置に格納され、このＨＤＤから直接読み出される場合がある。また、ＣＤ−ＲＯＭやＤＶＤ−ＲＯＭ等の記録ディスクに地図情報が記録され、これらの記録媒体を駆動するためのドライブ装置によって地図情報が読み出される場合がある。ＨＤＤや、各種ドライブ装置から読み出された地図情報は、ナビゲーションシステムの制御装置に送られた後、所定の処理を施されてモニタ上に表示される。
【０００４】
ところで、従来、ナビゲーションシステムにおいて使用者(ユーザ)をナビゲートする際に使用される地図情報は、ナビゲーションシステムの購入時に固定されたものである。ナビゲーションシステムを快適に使用するためには、最新の地図情報データベースが記録(格納)された記録ディスクを入手して使用することが望ましい。しかしながら、地図情報データベースが記録されている記録ディスクが更新される頻度は少なく、また、地図情報データベースの一部だけが更新された場合であっても、全ての地図情報データベースが記録された記録ディスクを新たに購入する必要がある。
【０００５】
このような不具合に対処するために、例えば、ネットワークを介して地図情報データベースを配信することによって、常に最新の地図情報データベースを提供し、ナビゲーション装置の利便性を向上させる従来技術が存在する(例えば、特許文献１参照。)。
【０００６】
【特許文献１】特開２００２−３３３３２２号公報(第４−５頁、図１)
【発明の開示】
【発明が解決しようとする課題】
【０００７】
このように、上記特許文献１に記載された技術を採用することで、ネットワークで接続された地図情報データベースサーバから最新の地図情報を取得して例えばＨＤＤに格納することが可能となり、ナビゲーション装置に新しい地図情報を反映することができる。しかしながら、ネットワークなどから手続を行って地図情報を更新するためには、ネットワーク接続に関するユーザの知識が必要となり、また、ネットワーク接続のための手間と時間が必要となる。そのために、ユーザによっては最新地図情報の取得が適度に行われない場合が生じ得る。地図情報の更新が適度に行われない場合には、例えば、道が新たに建設された場合や道の形状が変更された場合、ランドマークが変更になった場合等、ナビゲーションシステムとしての機能が軽減されることとなる。
【０００８】
本発明は、以上のような技術的課題を解決するためになされたものであって、その目的とするところは、使用者の手をかけずに、地図情報の更新を行うことにある。
また他の目的は、地図情報の更新が必要なときに更新処理を行うことで、更新処理の回数を最小限に留めることにある。
更に他の目的は、例えば、地図情報の更新の際に認証等を行うことで、使用者個人の特定と課金を可能とすることにある。
また更に他の目的は、例えば、使用者への費用負担がない状態で地図情報の更新を可能とすることにある。
【課題を解決するための手段】
【０００９】
かかる目的を達成するために、本発明は、例えばナビゲーションシステムに用いられる表示装置において、購入時からの地図情報に対して、新しく構築された道路上に配置されたビーコン情報を発生する機材から、ビーコン情報を受信する機材を用いて更新地図情報を受信し、手間のかかる地図情報の更新作業を簡潔化させている。即ち、本発明が適用される地図表示装置は、地図情報が格納される記録媒体から地図情報を読み出してモニタに表示する表示手段と、構築された道路またはランドマークの付近に設置された、例えばビーコン情報を発生させる装置である情報提供装置から常時、発せられる信号に基づき、記録媒体に格納されている地図情報に対する更新地図情報を受信する受信手段とを有し、更新された地図情報を表示手段によってモニタ出力している。
【００１０】
ここで、この受信手段は、情報提供装置から更新信号を受信し、この更新信号を受信した位置および/または時刻によって更新信号が今まで受信したことのない新しい更新信号か否かを判断し、新しい更新信号と判断される場合に更新地図情報を受信することを特徴とすることができる。
【００１１】
また、受信手段により受信された更新地図情報を記録媒体に格納する格納手段を更に備え、表示手段は、格納手段により格納された更新地図情報をモニタに表示することを特徴とすることができる。更に、この受信手段は、更新地図情報と共に広告情報を受信し、表示手段は、受信された広告情報をモニタに表示することを特徴とすることができる。
ここで、情報提供装置に対して認証情報を送信する認証情報送信手段を更に備え、受信手段は、送信された認証情報に基づく更新地図情報を受信することを特徴とすれば、例えば認証情報をもとに決済が行われた状態にて更新地図情報を取得できる点からも好ましい。
【００１２】
一方、本発明は、記録媒体に格納されている地図情報を更新するための地図情報更新方法であって、構築された道路またはランドマークの付近に設置された情報提供装置から常時、発せられる更新信号を受信し、受信された更新信号から地図情報を更新すべきか否かを判断し、更新すべきと判断される場合には、情報提供装置から更新地図情報を受信し、受信した更新地図情報を記録媒体に格納することを特徴とすることができる。
【００１３】
ここで、この記録媒体に格納されている地図情報は、ナビゲーションシステムに用いられる地図情報であり、この記録媒体に格納された更新地図情報をモニタに表示することを特徴とすれば、新たに建築された道やその道の形状、新たに建設されたランドマークやその変更等の情報を適宜、更新することが可能となり、例えばナビゲーションシステムの機能を高く維持することができる点で優れている。
【００１４】
また、受信される更新地図情報には広告に関する情報が付加されており、更新地図情報を表示する際、広告に関する情報を合わせてモニタに表示することを特徴とすれば、情報提供側は広告のテナント側からの宣伝料を用いて運営することが可能となり、例えば使用者は対価を払わずに更新地図情報を取得することが可能となる。
更に、更新信号を受信した後、認証情報を情報提供装置に送信し、認証情報の照合に基づく更新地図情報を前記情報提供装置から受信することを特徴とすれば、認証に基づく決済を行うことが可能となる点で好ましい。
【００１５】
また更に、本発明は、コンピュータであるナビゲーションシステムに用いられるプログラムとして把握することができる。即ち、本発明は、記録媒体に格納されている地図情報を読み込んでモニタに表示するナビゲーションシステムに用いられるプログラムであって、構築された道路またはランドマークの付近に設置された情報提供装置から常時、発せられる更新地図情報を取得する機能と、取得された更新地図情報をモニタに表示する機能とをナビゲーションシステムに実現させる。ここで、この更新地図情報を取得する機能は、ビーコン情報を発生する機材を介して更新地図情報を取得することを特徴とすることができる。
【００１６】
また、他の観点から捉えると、本発明が適用されるナビゲーションシステムに用いられるプログラムは、構築された道路またはランドマークの付近に設置された情報提供装置から常時、発せられる更新信号を取得する機能と、取得された更新信号から地図情報を更新するか否かを判断する機能と、更新すべきと判断される場合に更新地図情報の要求を出力する機能と、情報提供装置から更新地図情報を取得する機能と、取得した更新地図情報をモニタに表示する機能とをナビゲーションシステムに実現させる。
【００１７】
尚、これらのプログラムは、磁気ディスクや光ディスク、半導体メモリ、その他の記録媒体に格納して配布したり、ネットワークを介して配信したりすることにより、コンピュータ装置に提供することができる。
【発明の効果】
【００１８】
以上のように構成された本発明によれば、地図情報にかかる更新の手間を省き、更新に必要な使用者の労力と時間を軽減することが可能となる。
【発明を実施するための最良の形態】
【００１９】
以下、添付図面を参照して、本発明を実施するための最良の形態(以下、実施形態)について詳細に説明する。
図１は、本実施形態による地図表示システム(地図表示装置)１０のハードウェア構成を示す図である。
この地図表示システム１０は、例えば、車載用ナビゲーションシステム(カーナビゲーションシステム)や、携帯用ナビゲーションシステム、ＰＤＡ等の携帯情報装置、各種コンピュータ装置等、地図情報を表示する各種システムに適用することができる。ここで、「システム」とは、複数の装置(機能)が論理的に集合した物をいい、各構成の装置(機能)が同一筐体中にあるか否かを問うものではない。
【００２０】
図１に示す地図表示システム１０は、各種情報の処理を実行し本システムの基幹となってシステム全体の制御や演算を行う制御装置１１、制御装置１１に対する使用者(ユーザ)による各種情報の入力を可能とする入力装置１２、自車位置の測位を行う例えばＧＰＳ情報を受信するＧＰＳ受信装置等の測位装置１３、地図情報や自車位置情報等を表示する例えば液晶ディスプレイからなる出力装置(モニタ)１４を備えている。また、例えばビーコン情報を受信可能に構成され外部に設けられる地図情報の送信装置や認証情報の受信装置等との通信を行う外部通信装置１５、地図情報や各種アプリケーションプログラム等を格納する記憶装置(ＨＤＤ：Hard Disk Drive)１６、所定の広域エリアの地図情報(地図データ)が格納されたＣＤ(Compact Disc)−ＲＯＭ(Read Only Memory)やＤＶＤ(Digital Versatile Disc)−ＲＯＭ等を読み込むディスク装置１７を備えている。更に、ＩＣカード１９を読み込むカードリーダ１８を備えて構成される。本実施の形態では、記憶装置１６やディスク装置１７等にて読み書きされる記憶手段を総称して「記録媒体」としている。
【００２１】
図１において、制御装置１１は、システム全体の制御や演算処理を行うＣＰＵ(Central Processing Unit：中央処理装置)２１と、入力装置１２や出力装置１４等の周辺機器との入出力を管理するＩ/Ｏ回路２２と、システムを動作させるためのプログラムが格納されたＲＯＭ２３と、ＤＲＡＭ(Dynamic Random Access Memory)等からなる内部記憶装置としてのＲＡＭ２４とを備えている。また、例えば出力装置１４にモニタ出力するための地図情報を書き込む作業用メモリ等として用いられるＶＲＡＭ(Video RAM)２５を備えている。ＶＲＡＭ２５に描画された内容は、モニタである出力装置１４に表示出力される。
【００２２】
入力装置１２は、表示される地図の地域や縮尺を切り替えたり、各種機能を呼び出すための入力操作を行うものであり、システムの筐体に設けられたボタンやリモコン、出力装置１４の画面と一体に設けられたタッチパネルにて実現される。測位装置１３は、ＧＰＳ衛星から発信された信号を受信するＧＰＳアンテナを備え、このＧＰＳアンテナから得た信号に基づいて測位を行う。また、本実施形態がカーナビゲーションシステムで利用される場合は、さらに、システムが搭載された車両の車速を検出する車速センサ、車両の回転変位を検出するジャイロセンサ、車速センサおよびジャイロセンサにより得られた検出値に基づいてＧＰＳに基づく測位結果を補正する補正手段等を設けることもできる。記憶装置１６のハードディスクやディスク装置１７のディスク等の各種記録媒体には、同一地域に対して縮尺の異なる複数種類の地図データが格納されている。また、ノード(地点)等の地点データや施設の名称等の検索データが、地図データに関連付けられて格納されている。
【００２３】
ＣＰＵ２１は、ＲＯＭ２３に格納されている制御プログラムに基づいて、例えばＲＡＭ２４を作業用メモリとして各種処理を実行する。この処理としては、例えば、ＤＶＤ−ＲＯＭ等のディスク装置１７から地図データや施設データ、シンボルマーク、描画色、描画パターンなどを読み出し、座標変換、位置情報の管理等を行い、例えば、ＶＲＡＭ２５に対して地図データの展開等を行う。入力装置１２からは、例えば出力装置１４のモニタ画面に表示された地図のスクロールや倍率変換、リストの表示など、ユーザによる各種入力がシステムに伝達される。ＣＰＵ２１は、Ｉ/Ｏ回路２２を介してこれらの情報を入手し、これらの情報に基づいて、スクロール処理や倍率変換処理等の各種処理を実行している。また、外部通信装置１５を介して、各種プログラムをシステムにダウンロードすることが可能であり、また、各種情報を外部から入力し、外部に対して各種情報を出力することができる。この外部通信装置１５としては、光/電波ビーコン受信機、ＦＭ多重放送チューナの他、携帯電話、ＰＨＳやBluetoothなどの他の通信手段も考えられる。尚、地図情報等は、ＣＰＵ２１の地図データ読込手段によりディスク装置１７や記憶装置１６等の記録媒体から読み込まれる場合の他、外部ネットワークを介して供給される情報を外部通信装置１５から読み込む場合もある。
【００２４】
ここで、図１は本実施形態を実現する地図表示システム１０のハードウェア構成を例示するに過ぎず、本実施形態を適用可能であれば、他の種々の構成を取ることができる。例えば、音声出力を行うための構成や、本実施形態がカーナビゲーションシステム等で利用される場合は、駐車場などの交通情報を取得する交通情報受信手段等を設けることもできる。
【００２５】
図２は、図１に示すような地図表示システム１０におけるハードウェアの全体構成を機能ブロックで示した図であり、主として図１に示すＣＰＵ２１によりＲＡＭ２４に展開されたプログラムによって実行される。本実施の形態が適用される制御装置１１は、ユーザによる入力装置１２からの入力信号を受け付ける入力情報処理部５１、測位装置１３から例えばＧＰＳの信号を受信して自車の位置を検出する位置情報処理部５２、更新のための地図データを提供するセンター側で認証を行うための個人情報等を送信すると共に、センター側から認証結果を受信する認証処理部５３、ビーコン情報を受信する機材として更新情報を受信する更新情報処理部５４、ディスク装置１７や記憶装置１６から地図情報を読み取って表示する地図情報(地図データ)の選択等の各種処理を行う地図情報処理部５５、グラフィックコントローラ及びＶＲＡＭ２５からなり出力装置１４における地図その他の描画を制御する画面描画処理部５６を備えている。また、ＩＣカード１９に格納されカードリーダ１８によって読み込まれた個人情報を処理する個人情報処理部５７、個人情報処理部５７によって処理された個人情報を暗号化する暗号化部５８、ＩＣカード１９に格納されカードリーダ１８によって読み込まれた決済情報を処理する決済情報処理部５９を備えている。尚、本実施形態がカーナビゲーションシステム等で利用される場合は、ユーザが設定した出発地、経由地、目的地に基づいて推奨ルートを算出する経路設定制御部を設けることもできる。
【００２６】
図３は、本実施形態にて、地図表示システム１０の外部通信装置１５を用いて認証処理部５３および更新情報処理部５４との通信を行うセンター側の送受信装置例を示した図である。ここでは、新しく整備された道７１やその周辺に、認証情報を受信する受信装置７２、例えばビーコン情報を発生させて更新情報を送信する送信装置７３が設けられている。受信装置７２および送信装置７３は、センター８０に接続されている。このセンター８０は、更新情報を格納する更新情報データベース８１、個人情報、課金情報を格納する個人・課金情報データベース８２等の各種データベースを備えている。また、受信装置７２により受信された暗号化されている認証情報を復号化して認証情報を取り出すと共に、取り出された認証情報に対する各種処理を実行する認証処理部８３、認証処理部８３によって処理された認証情報によって個人・課金情報データベース８２から課金情報を読み出し、課金処理を行う課金処理部８４、更新情報データベース８１から更新情報を読み出して更新情報を出力する更新情報送信部８５を備えている。更新情報送信部８５からの更新情報は、送信装置７３を介して地図表示システム１０に対して送信される。
【００２７】
道路上に設置したビーコン(情報通信施設)は、一般に、渋滞や事故、工事、所要時間など、刻々と変化する情報をリアルタイムにカーナビゲーションシステムに送信する道路交通情報通信システム(ＶＩＣＳ：Vehicle Information and Communication System)として機能している。本実施の形態では、例えば、ビーコンの一つである送信装置７３によって、常時、発せられる光ビーコンや電波ビーコンを用いて更新地図情報が送信されている。地図表示システム１０の光/電波ビーコン受信機として機能する外部通信装置１５では、ビーコン信号を常時、受信できる状態にしておき、送信装置７３の信号が受信できる場所に到達した際、ビーコン発生機材である送信装置７３から常時、発せられる光ビーコンや電波ビーコンによって、更新地図情報を受信することができる。即ち、通過した場所で、道路やランドマークで変化のあったところについての更新地図情報を得ることができる。受信した更新地図情報を表示地図に反映することで、使用者は最新の道路地図を簡易に取得することが可能となる。
【００２８】
次に、本実施形態にて行われる地図情報の更新処理について説明する。
図４は、地図表示システム１０の制御装置１１にて実行される地図情報の更新処理を示したフローチャートである。まず、制御装置１１の位置情報処理部５２は、測位装置１３から位置情報を受信する(ステップ１０１)。受信された位置情報に基づいて、地図情報処理部５５は、記憶装置１６やディスク装置１７等の記録媒体から地図情報を読み出し(ステップ１０２)、画面描画処理部５６によって描画処理が実行されて、出力装置１４に出力される(ステップ１０３)。ここで、更新情報処理部５４によって、センター８０側の送信装置７３から更新電波(更新信号)が受信されたか否かが判断され(ステップ１０４)、更新電波(更新信号)を受信していない場合にはステップ１０１へ戻って地図情報を出力装置１４へ送るという処理が繰り返され、使用者(ユーザ)に現在位置と周辺の地図を示す。更新電波(更新信号)を受信した場合には、更新情報処理部５４によって位置および/または更新時刻の比較が実行される(ステップ１０５)。過去の更新記録は、履歴として例えば記憶装置１６に格納されており、かかる過去の更新記録によって、新しい更新電波(更新信号)が受信されたか否かが判断される(ステップ１０６)。新しい更新電波(更新信号)であるか否かは、例えば、初めての位置(場所)にて受信された場合や、前回の更新時刻からある一定の時間が経過している場合等が上げられる。例えばネットワーク等を介してサーバからデータを取得する場合に比べて、新しい更新か否かの判断を簡易に行うことができる。
【００２９】
ここで、新しい更新ではない場合にはステップ１０１へ戻って地図情報を出力装置１４へ送るという処理が繰り返される。新しい更新である場合には、地図情報処理部５５はセンター８０に対して更新する地図情報を要求する(ステップ１０７)。更新情報処理部５４によって更新する地図情報が取得(受信)されると(ステップ１０８)、地図情報処理部５５では、記憶装置１６やディスク装置１７等の記録媒体における地図情報の更新処理が行われ(ステップ１０９)、更新された地図情報は記憶装置１６やディスク装置１７等の記録媒体に格納されて(ステップ１１０)、ステップ１０１へ戻る。ここでは、処理の終了が示されていないが、例えば一定時間の経過後やナビゲーションシステムの表示を切る等の動作が使用者からなされた場合等に処理が終了する。
【００３０】
尚、送信装置７３から更新される地図情報がそのまま出力されている場合には、ステップ１０７およびステップ１０８の処理を省略し、受信される更新電波が新しいものであるとステップ１０６にて認識された場合に、ステップ１０９の地図情報の更新処理を行うように構成することもできる。例えば、地図表示システム１０を使用している使用者が、新しく整備された道７１の近くに設置してある送信装置７３の発する電波の届く範囲に入ったとき、更新情報が更新情報処理部５５によって取得(受信)される。そして、その更新情報が記録装置１６やディスク装置１７に記録されているか否かを調査する。このとき、記録されていない更新情報であった場合には、新しく整備された道７１の情報が記録装置１６やディスク装置１７等の記録媒体に記憶される。既に記録されていれば、受信した更新情報は破棄される。このように構成することによって、使用者は、自分が通過する可能性のある新たに整備された道７１の情報を常に更新しながらナビゲーションシステム(地図表示システム１０)を使用することでき、道に迷うなどの問題や、地図更新に無駄な労力を費やすことがない。また、更新される情報は道の情報だけではなく、変更されたランドマークとそのテナントの情報とすることもできる。
【００３１】
図５(ａ),(ｂ)は、認証データ(認証情報)の送受信と認証データの照合に関する処理を加えた地図情報の更新処理を示すフローチャートである。図５(ａ)は地図表示システム１０側の処理であり、図５(ｂ)はセンター８０側の処理を示している。まず、図５(ａ)に示すように、制御装置１１の位置情報処理部５２は、まず、測位装置１３から位置情報を受信する(ステップ２０１)。地図情報処理部５５は、取得された位置情報に基づいて記憶装置１６やディスク装置１７から地図情報を読み出し(ステップ２０２)、画面描画処理部５６によって描画処理が実行されて、出力装置１４に出力される(ステップ２０３)。ここで、更新情報処理部５４によって、センター８０側の送信装置７３から更新電波(更新信号)が受信されたか否かが判断され(ステップ２０４)、更新電波(更新信号)を受信していない場合にはステップ２０１へ戻って地図情報を出力装置１４へ送るという処理が繰り返され、使用者に現在位置と周辺の地図を示す。更新電波(更新信号)を受信した場合には、更新情報処理部５４によって位置・更新時刻の比較が実行される(ステップ２０５)。そして、新しい更新電波(更新信号)が受信されたか否かが判断される(ステップ２０６)。新しい更新ではない場合にはステップ２０１へ戻り、新しい更新の場合にはステップ２０７以降の処理へ移行する。
【００３２】
ここでは、まず個人情報処理部５７により、個人情報や決済情報が記憶されたＩＣカード１９から個人情報や決済情報が読み取られ、暗号化部５８によって暗号化される(ステップ２０７)。これらの個人情報や決済情報は、カードリーダ１８によってＩＣカード１９から読み取られた後、一旦、記憶装置１６に記憶され、その後、必要な際に記憶装置１６から個人情報等が読み出されるように構成することも可能である。暗号化された個人情報や決済情報は、認証データ(認証情報)として地図情報要求と共にセンター８０側へ送信される(ステップ２０８)。このときに用いられる通信方式は、電波や光等、通信を行うことができればその手段は問わない。但し、迅速な通信がなされることが好ましい。その後、認証データに基づく更新地図情報を受信し(ステップ２０９)、地図情報を更新する(ステップ２１０)。その後、地図情報処理部５５は、記憶装置１６やディスク装置１７に更新された地図情報を格納して(ステップ２１１)、ステップ２０１へ戻る。
【００３３】
一方、図５(ｂ)に示すように、センター８０側では、地図表示システム１０側からの地図情報要求の受信を待機する(ステップ２５１)。要求を受信した場合に、図３に示す認証処理部８３にて認証データの復号化がなされ(ステップ２５２)、個人・課金情報データベース８２に格納された個人情報を用いて、認証データに対する照合がなされる(ステップ２５３)。照合の結果、一致していない場合には、更新地図が送られることがなく、ステップ２５１に戻って新たな地図情報要求の受信を待機する。一致している場合には、更新情報送信部８５は、更新情報データベース８１から更新情報を読み出し、送信装置７３を介して更新地図情報を送信する(ステップ２５５)。
【００３４】
このように、図５(ａ),(ｂ)に示す処理によれば、地図情報の更新の際にＩＣカード１９の個人情報や決済情報を用いて認証を行うことで個人を特定することができ、この個人の特定によって、例えば課金を行うことができ、センター８０側にて適切な対価を得ることができる。課金処理は、図３に示す課金処理部８４にて実行され、地図表示システム１０側にてなされた地図情報要求の回数、提供する更新地図情報の情報量、情報の利便性等を加味し、認証された個人毎に決定される。課金処理部８４にて決定された課金情報は、個人・課金情報データベース８２に格納されると共に、送信される更新地図情報と共に課金情報を地図表示システム１０側に提供することも可能である。かかる際には、課金処理部８４からの課金情報が更新情報送信部８５に渡され、更新情報送信部８５では更新地図情報に課金情報が付加されて、送信装置７３を介して地図表示システム１０に送信される。課金情報を受信した地図表示システム１０では、制御装置１１の更新情報処理部５４にて課金情報を認識し、画面描画処理部５６によって地図表示の端部等に金額が表示される。尚、決済情報処理部５９を介して決済情報がＩＣカード等に格納されるように構成することも可能である。
【００３５】
このように、課金システムを構築することで、情報提供側(センター８０側)も適切な対価を得ることができる。しかしながら、課金されると使用者が利用を警戒する場合が考えられる。また、更新地図情報の提供の度に認証等を行うことが必要となる。そこで、例えば、更新地図情報に広告を付加し、情報提供側は、広告を提供する側から料金を徴収し、ナビゲーションシステム(地図表示システム１０)の利用者は無料で更新を受けられるように構成することもできる。以下、図６〜図８を用いて説明する。
【００３６】
図６は、更新地図情報とともに送信される広告データの構造を示した図である。広告主側のＰＣ等の端末(図示せず)では、広告名、広告主、広告文、文字方向、フォントサイズ、表示時間などの各項目が埋められて、例えばネットワーク(図示せず)を介してセンター８０の端末に送信される。また、広告主側の端末からは、具体的な表示レイアウトに関する情報等も出力される。例えば、広告表示枠パターン、広告表示パターン、広告表示位置、座標情報等である。また、広告の開始日や終了日の他、オプション画像データやその表示位置等の情報も出力される。広告表示枠パターンではパターン１〜パターン５が選択可能であり、広告表示パターンでもパターン１〜パターン５が選択可能である。
【００３７】
図７(ａ)〜(ｄ)は、広告データの中の広告表示枠パターンにおけるパターン例(パターン１〜パターン４)を示した図である。まず、広告主は、図６に示す広告データの中で、広告表示枠パターンとして、図７(ａ)〜(ｄ)に示すような４種類の広告表示枠を選択することができる。このとき、その値を記載するパターンは１〜４が用意されている。更に、パターン５が選択された場合には、表示枠データの場所に、枠の形状を示したビットマップ(BitMap)データ(例えば、７００＊５００のサイズ)が挿入される。地図表示システム１０の制御装置１１における画面描画処理部５６は、これらの値を用いて、広告の表示を行う際の枠を設定する。
【００３８】
図８(ａ)〜(ｄ)は、広告データにおける広告表示パターンのパターン例(パターン１〜パターン４)を示している。図６に示す広告データの中から、上述のように広告表示枠パターンが選択された後、所定の広告表示パターンが選択される。この広告表示パターンの選択では、例えば、図８(ａ)〜(ｄ)に示すような表示方法を、パターン１〜パターン４を使用して設定する。図８(ａ)に示すパターン１はポップアップ画面による広告表示、図８(ｂ)に示すパターン２は下からの広告表示、図８(ｃ)に示すパターン３は左からの広告表示、図８(ｄ)に示すパターン４は斜めからの広告表示等である。また、このときパターン５が選択された場合には、書き出しを行う位置として、表示パターンデータに座標系(x,y)と時間(msec)を記載する。実際の表示の際には、指定した位置から表示位置(x,y)まで、設定された時間をかけて移動するように表示される。
【００３９】
図６に示す広告データ構造では、最後に表示位置(x,y)座標が指定される。また、広告開始日、広告終了日も指定される。この広告表示期間中にこの広告データを受け取った地図表示システム１０は、広告データを出力装置(モニタ)１４に表示する。また、これらのパターンデータは、各機器固有のものとすることも可能であり、また、統一することもできる。更に、表示パターンについても同様に決定することが可能である。また更に、広告と同時表示するオプション画像をビットマップデータ及び表示位置をデータとして記載することで、各広告固有のオプション画像も表示させることが可能である。
【００４０】
以上、詳述したように、本実施形態によれば、例えば、ナビゲーションシステム等によって構成される地図表示システム１０において、新たに構築された道路やランドマーク付近に設置された情報提供装置からの情報をもとに地図情報の更新を行うことができる。即ち、変更された道の脇や入り口等の付近や、変更になったランドマークの周辺(付近)に、一定の電波や光信号等の信号を発信するスポット(情報提供装置)を構築し、そのスポット近くを通過するナビゲーションシステムに変更情報を伝送することで、地図データの更新が必要なときに行われる。一度にディスクごと交換を行う従来の手法や、一定の区切りでしか更新できない従来の手法に比べ、更新が最小限で済み、労力と時間がかかることがない。
【００４１】
また、内部に認証装置を持ち、更新の際にＩＣカード１９や磁気カード、身体情報などを用いて認証を行い、その認証情報をもとに地図更新時に決済を行って課金を施すことが可能である。更に、更新を行った際、ランドマークの詳細情報などを合わせて(付加して)提供し、そのことでランドマーク内のテナントの宣伝などを行うこともできる。このとき、テナント側からの宣伝料をもとに運営を行い、使用者に課金を行わず、費用負担のないようなシステムを構築することができる。
【００４２】
更に、認証に用いたユーザ情報に、そのユーザの個人情報(年齢、性別、趣味、過去の購買履歴など)を含め、そのユーザの嗜好に合わせた広告を提供することも可能である。かかる場合、個人情報への追加の他に、個人への広告提供の際に絞り込みに使用する検索用キーワードを広告データに追加することが好ましい。この検索用キーワードとしては、「車」、「音楽」、「ブランド名」などがある。インターネットなどで検索に使用されるキーワード等を用いることも可能である。また、年齢範囲や性別による絞り込みを広告に加えることも有効である。
【図面の簡単な説明】
【００４３】
【図１】本実施形態による地図表示システムのハードウェア構成を示す図である。
【図２】図１に示すような地図表示システムの全体構成を機能ブロックで示した図である。
【図３】本実施形態にて、地図表示システムの外部通信装置を用いて通信を行うセンター側の送受信装置例を示した図である。
【図４】地図表示システムの制御装置にて実行される地図情報の更新処理を示したフローチャートである。
【図５】(ａ),(ｂ)は、認証データ(認証情報)の送受信と認証データの照合に関する処理を加えた地図情報の更新処理を示すフローチャートである。
【図６】更新地図情報とともに送信される広告データの構造を示した図である。
【図７】(ａ)〜(ｄ)は、広告データの中の広告表示枠パターンにおけるパターン例(パターン１〜パターン４)を示した図である。
【図８】(ａ)〜(ｄ)は、広告データにおける広告表示パターンのパターン例(パターン１〜パターン４)を示した図である。
【符号の説明】
【００４４】
１０…地図表示システム(地図表示装置)、１１…制御装置、１２…入力装置、１３…測位装置、１４…出力装置(モニタ)、１５…外部通信装置、１６…記憶装置(ＨＤＤ：Hard Disk Drive)、１７…ディスク装置、１８…カードリーダ、１９…ＩＣカード、２１…ＣＰＵ(Central Processing Unit：中央処理装置)、５１…入力情報処理部、５２…位置情報処理部、５３…認証処理部、５４…更新情報処理部、５５…地図情報処理部、５６…画面描画処理部、５７…個人情報処理部、５８…暗号化部、５９…決済情報処理部、７２…受信装置、７３…送信装置、８０…センター
【図１】
2005181062.tif 000003
【図２】
2005181062.tif 000004
【図３】
2005181062.tif 000005
【図４】
2005181062.tif 000006
【図５】
2005181062.tif 000007
【図６】
2005181062.tif 000008
【図７】
2005181062.tif 000009
【図８】
2005181062.tif 000010